(57)【特許請求の範囲】
【請求項１】
他の通信装置が予め定められた距離範囲内かつ位置関係で配置されることによって該他の通信装置との間で通信を行う通信装置であって、
前記他の通信装置が予め定められた閾値以下の加速度で移動している状態で前記予め定められた距離範囲内かつ位置関係に配置された場合に該他の通信装置と電波で通信可能になる位置に設けられ、該他の通信装置に対する予め定められた情報の送信の許可を該他の通信装置に要求する第１送信要求信号を電波で送信すると共に、前記送信要求信号を送信することに応じて前記他の通信装置から電波で送信される第１送信許可信号を受信する第１送受信手段と、
前記他の通信装置が前記予め定められた閾値以下の加速度で移動している状態で前記予め定められた距離範囲内かつ位置関係に配置された場合に該他の通信装置と電波で通信可能になる位置に設けられ、該他の通信装置から電波で送信された第２送信要求信号を受信すると共に、該第２送信要求信号を受信した場合に前記他の通信装置に対して電波で前記第２送信許可信号を送信する第２送受信手段と、
前記他の通信装置との間での電波による通信速度よりも通信速度が速いという条件及び前記他の通信装置との間での電波による通信可能距離よりも通信可能距離が長いという条件の少なくとも一方の条件を満足する無線送受信手段であって、前記他の通信装置に対して前記予め定められた情報を無線で送信可能であり、かつ前記他の通信装置から無線で送信された前記予め定められた情報を受信可能な無線送受信手段と、
装置本体が移動したときに該移動に係る加速度を検出する加速度検出手段と、
前記他の通信装置から電波で送信された前記第１送信許可信号を前記第１送受信手段で受信することによって前記第１送受信手段と前記他の通信装置との間で通信可能となり、かつ前記加速度検出手段によって検出された加速度が前記予め定められた閾値以下の場合に前記他の通信装置に前記予め定められた情報を無線で送信するように前記無線送受信手段を制御し、前記第２送受信手段が前記他の通信装置に対して前記第２送信許可信号を送信することによって前記第２送受信手段と前記他の通信装置との間で通信可能となり、かつ前記加速度検出手段によって検出された加速度が前記予め定められた閾値以下の場合に前記他の通信装置から無線で送信された前記予め定められた情報を受信するように前記無線送受信手段を制御する制御手段と、
を備えた通信装置。
【請求項２】
前記制御手段は、前記無線送受信手段により前記予め定められた情報の受信が行われている最中に、前記第２送受信手段と前記他の通信装置との間で通信不可能となった場合に前記無線送受信手段による前記予め定められた情報の受信を中断するように制御すると共に、前記無線送受信手段により前記予め定められた情報の送信が行われている最中に、前記第２送受信手段と前記他の通信装置との間で通信不可能となった場合に前記無線送受信手段による前記予め定められた情報の送信を中断するように制御する
請求項１記載の通信装置。
【請求項３】
前記制御手段は、前記他の通信装置と通信を行う動作モード以外の動作モードが設定されているときには当該通信を禁止するように制御する
請求項１又は請求項２に記載の通信装置。
【請求項４】
前記制御手段は、前記加速度検出手段により検出された加速度が予め定められた閾値を超えている場合に前記他の通信装置との通信を禁止するように制御する
請求項１〜請求項３の何れか１項に記載の通信装置。
【請求項５】
画像情報により示される画像を表示する表示手段を更に備え、
前記制御手段は、前記表示手段により表示されている画像を示す画像情報を前記他の通信装置に対して送信する情報とする
請求項１〜請求項４の何れか1項に記載の通信装置。
【請求項６】
前記制御手段は、前記他の通信装置に対して情報を送信しているときに当該情報を送信していることを示す情報を表示するように制御すると共に、前記他の通信装置から情報を受信しているときに当該情報を受信していることを示す情報を表示するように制御する
請求項１〜請求項５の何れか１項に記載の通信装置。
【請求項７】
他の通信装置が予め定められた距離範囲内かつ位置関係で配置されることによって該他の通信装置との間で通信を行う通信装置として、前記他の通信装置が予め定められた閾値以下の加速度で移動している状態で前記予め定められた距離範囲内かつ位置関係に配置された場合に該他の通信装置と電波で通信可能になる位置に設けられ、該他の通信装置に対する予め定められた情報の送信の許可を該他の通信装置に要求する第１送信要求信号を電波で送信すると共に、前記送信要求信号を送信することに応じて前記他の通信装置から電波で送信される第１送信許可信号を受信する第１送受信手段と、前記他の通信装置が前記予め定められた閾値以下の加速度で移動している状態で前記予め定められた距離範囲内かつ位置関係に配置された場合に該他の通信装置と電波で通信可能になる位置に設けられ、該他の通信装置から電波で送信された第２送信要求信号を受信すると共に、該第２送信要求信号を受信した場合に前記他の通信装置に対して電波で前記第２送信許可信号を送信する第２送受信手段と、前記他の通信装置との間での電波による通信速度よりも通信速度が速いという条件及び前記他の通信装置との間での電波による通信可能距離よりも通信可能距離が長いという条件の少なくとも一方の条件を満足する無線送受信手段であって、前記他の通信装置に対して前記予め定められた情報を無線で送信可能であり、かつ前記他の通信装置から無線で送信された前記予め定められた情報を受信可能な無線送受信手段と、装置本体が移動したときに該移動に係る加速度を検出する加速度検出手段と、を含む通信装置の通信方法であって、
前記他の通信装置から電波で送信された前記第１送信許可信号を前記第１送受信手段で受信することによって前記第１送受信手段と前記他の通信装置との間で通信可能となり、かつ前記加速度検出手段によって検出された加速度が前記予め定められた閾値以下の場合に前記他の通信装置に前記予め定められた情報を無線で送信するように前記無線送受信手段を制御し、前記第２送受信手段が前記他の通信装置に対して前記第２送信許可信号を送信することによって前記第２送受信手段と前記他の通信装置との間で通信可能となり、かつ前記加速度検出手段によって検出された加速度が前記予め定められた閾値以下の場合に前記他の通信装置から無線で送信された前記予め定められた情報を受信するように前記無線送受信手段を制御する通信方法。
【請求項８】
他の通信装置が予め定められた距離範囲内かつ位置関係で配置されることによって該他の通信装置との間で通信を行う通信装置として、前記他の通信装置が予め定められた閾値以下の加速度で移動している状態で前記予め定められた距離範囲内かつ位置関係に配置された場合に該他の通信装置と電波で通信可能になる位置に設けられ、該他の通信装置に対する予め定められた情報の送信の許可を該他の通信装置に要求する第１送信要求信号を電波で送信すると共に、前記送信要求信号を送信することに応じて前記他の通信装置から電波で送信される第１送信許可信号を受信する第１送受信手段と、前記他の通信装置が前記予め定められた閾値以下の加速度で移動している状態で前記予め定められた距離範囲内かつ位置関係に配置された場合に該他の通信装置と電波で通信可能になる位置に設けられ、該他の通信装置から電波で送信された第２送信要求信号を受信すると共に、該第２送信要求信号を受信した場合に前記他の通信装置に対して電波で前記第２送信許可信号を送信する第２送受信手段と、前記他の通信装置との間での電波による通信速度よりも通信速度が速いという条件及び前記他の通信装置との間での電波による通信可能距離よりも通信可能距離が長いという条件の少なくとも一方の条件を満足する無線送受信手段であって、前記他の通信装置に対して前記予め定められた情報を無線で送信可能であり、かつ前記他の通信装置から無線で送信された前記予め定められた情報を受信可能な無線送受信手段と、装置本体が移動したときに該移動に係る加速度を検出する加速度検出手段と、を含む通信装置を制御するコンピュータを、
前記他の通信装置から電波で送信された前記第１送信許可信号を前記第１送受信手段で受信することによって前記第１送受信手段と前記他の通信装置との間で通信可能となり、かつ前記加速度検出手段によって検出された加速度が前記予め定められた閾値以下の場合に前記他の通信装置に前記予め定められた情報を無線で送信するように前記無線送受信手段を制御する手段、
並びに、前記第２送受信手段が前記他の通信装置に対して前記第２送信許可信号を送信することによって前記第２送受信手段と前記他の通信装置との間で通信可能となり、かつ前記加速度検出手段によって検出された加速度が前記予め定められた閾値以下の場合に前記他の通信装置から無線で送信された前記予め定められた情報を受信するように前記無線送受信手段を制御する手段として機能させるための通信プログラム。
【請求項９】
請求項１〜請求項６の何れか１項に記載の通信装置と、
被写体を撮像することにより当該被写体を示す画像情報を、前記通信装置により送信する情報として取得する撮像手段と、
を備えた撮影装置。
【発明の詳細な説明】
【技術分野】
【０００１】
本発明は、２台が予め定められた距離範囲内かつ位置関係で配置されることによって各々の間で通信を行う通信装置、通信方法、通信プログラム及び撮影装置に関する。
【背景技術】
【０００２】
近年、デジタル電子スチルカメラ（以下、「デジタルカメラ」という。）や携帯電話機等の情報伝送能力の向上に伴って、音声を示す音声情報や画像を示す画像情報等を簡易に送信する通信装置が多数提案されている。
【０００３】
例えば、特許文献１には、画像を表示する表示部と、ユーザの指示に基づいて表示部に表示されている画像を送信すべき空間的な方向を入力する方向入力部と、指向性を有する無線通信部と、無線通信部を用いて、方向入力部が入力した空間的な方向へ表示部が表示している画像を送信する送信部と、を備えた携帯用の画像格納装置が開示されている。
【０００４】
また、特許文献２には、複数の受信部が所定の間隔をおいて配置された電子機器における所望の受信部に対してユーザが携帯端末から信号を送信し、当該信号を受信部が受信することにより、電子機器が当該受信部に対応する処理を実行する技術が開示されている。
【特許文献１】特開２００４−２２８８０４号公報
【特許文献２】特開２００７−１４２６５３号公報
【発明の開示】
【発明が解決しようとする課題】
【０００５】
しかしながら、特許文献１に開示されている技術では、画像を送信するにあたって、ユーザが画像を送信すべき空間的な方向を指定するための操作を行わなければならない。また、特許文献２に開示されている技術では、携帯端末と電子機器との間で通信を行うにあたって、携帯端末における信号を送信する部分を電子機器の所望の受信部に合わせなければならない。このように上記各特許文献に開示されている技術では、通信を行う際の操作が必ずしも容易ではない、という問題点があった。
【０００６】
本発明は上記問題点を解決するために成されたものであり、煩雑な操作を要することなく通信を行うことができる通信装置、通信方法、通信プログラム及び撮影装置を提供することを目的とする。
【課題を解決するための手段】
【０００７】
上記目的を達成するために、請求項１に記載の通信装置は、他の通信装置が予め定められた距離範囲内かつ位置関係で配置されることによって該他の通信装置との間で通信を行う通信装置であって、前記他の通信装置が予め定められた閾値以下の加速度で移動している状態で前記予め定められた距離範囲内かつ位置関係に配置された場合に該他の通信装置と電波で通信可能になる位置に設けられ、該他の通信装置に対する予め定められた情報の送信の許可を該他の通信装置に要求する第１送信要求信号を電波で送信すると共に、前記送信要求信号を送信することに応じて前記他の通信装置から電波で送信される第１送信許可信号を受信する第１送受信手段と、前記他の通信装置が前記予め定められた閾値以下の加速度で移動している状態で前記予め定められた距離範囲内かつ位置関係に配置された場合に該他の通信装置と電波で通信可能になる位置に設けられ、該他の通信装置から電波で送信された第２送信要求信号を受信すると共に、該第２送信要求信号を受信した場合に前記他の通信装置に対して電波で前記第２送信許可信号を送信する第２送受信手段と、前記他の通信装置との間での電波による通信速度よりも通信速度が速いという条件及び前記他の通信装置との間での電波による通信可能距離よりも通信可能距離が長いという条件の少なくとも一方の条件を満足する無線送受信手段であって、前記他の通信装置に対して前記予め定められた情報を無線で送信可能であり、かつ前記他の通信装置から無線で送信された前記予め定められた情報を受信可能な無線送受信手段と、装置本体が移動したときに該移動に係る加速度を検出する加速度検出手段と、前記他の通信装置から電波で送信された前記第１送信許可信号を前記第１送受信手段で受信することによって前記第１送受信手段と前記他の通信装置との間で通信可能となり、かつ前記加速度検出手段によって検出された加速度が前記予め定められた閾値以下の場合に前記他の通信装置に前記予め定められた情報を無線で送信するように前記無線送受信手段を制御し、前記第２送受信手段が前記他の通信装置に対して前記第２送信許可信号を送信することによって前記第２送受信手段と前記他の通信装置との間で通信可能となり、かつ前記加速度検出手段によって検出された加速度が前記予め定められた閾値以下の場合に前記他の通信装置から無線で送信された前記予め定められた情報を受信するように前記無線送受信手段を制御する制御手段と、を備えている。
【００１１】
本発明によれば、煩雑な操作を要することなく通信を行うことができる。
【００１３】
また、請求項１に記載の通信装置は、請求項２に記載の発明ように、前記制御手段が、前記無線送受信手段により前記予め定められた情報の受信が行われている最中に、前記第２送受信手段と前記他の通信装置との間で通信不可能となった場合に前記無線送受信手段による前記予め定められた情報の受信を中断するように制御すると共に、前記無線送受信手段により前記予め定められた情報の送信が行われている最中に、前記第２送受信手段と前記他の通信装置との間で通信不可能となった場合に前記無線送受信手段による前記予め定められた情報の送信を中断するように制御するものとしても良い。これにより、不要な通信の制御を停止させることができる。
【００１４】
また、請求項１又は請求項２に記載の通信装置は、請求項３に記載の発明のように、前記制御手段が、前記他の通信装置と通信を行う動作モード以外の動作モードが設定されているときには当該通信を禁止するように制御するものとしても良い。これにより、通信を行わないモードが設定されている場合において不要な通信が行われることを防止することができる。
【００１５】
また、請求項１〜請求項３の何れか１項に記載の通信装置は、請求項４に記載の発明ように、装置本体が移動したときに当該移動の加速度を検出する加速度検出手段を更に備え、前記制御手段は、前記加速度検出手段により検出された加速度が予め定められた閾値を超えている場合に前記他の通信装置との通信を禁止するように制御するものとしても良い。これにより、不要な通信が行われることを防止することができる。
【００１９】
また、請求項１〜請求項４の何れか１項に記載の通信装置は、請求項５に記載の発明のように、画像情報により示される画像を表示する表示手段を更に備え、前記制御手段が、前記表示手段により表示されている画像を示す画像情報を前記他の通信装置に対して送信する情報とするものとしても良い。これにより、所望の画像を他の通信装置に容易に提供することができる。
【００２０】
更に、請求項１〜請求項５の何れか１項に記載の通信装置は、請求項６に記載の発明のように、前記制御手段が、前記他の通信装置に対して情報を送信しているときに当該情報を送信していることを示す情報を表示するように制御すると共に、前記他の通信装置から情報を受信しているときに当該情報を受信していることを示す情報を表示するように制御するものとしても良い。これにより、ユーザに対して情報を送信しているのか受信しているのかを容易に把握させることができる。
【００２１】
なお、前記制御手段による表示には、ディスプレイ装置等の画像表示装置による可視表示の他、プリンタ等の画像形成装置による永久可視表示、音声合成装置等による可聴表示が含まれる。
【００２２】
一方、上記目的を達成するために、請求項７に記載の通信方法は、他の通信装置が予め定められた距離範囲内かつ位置関係で配置されることによって該他の通信装置との間で通信を行う通信装置として、前記他の通信装置が予め定められた閾値以下の加速度で移動している状態で前記予め定められた距離範囲内かつ位置関係に配置された場合に該他の通信装置と電波で通信可能になる位置に設けられ、該他の通信装置に対する予め定められた情報の送信の許可を該他の通信装置に要求する第１送信要求信号を電波で送信すると共に、前記送信要求信号を送信することに応じて前記他の通信装置から電波で送信される第１送信許可信号を受信する第１送受信手段と、前記他の通信装置が前記予め定められた閾値以下の加速度で移動している状態で前記予め定められた距離範囲内かつ位置関係に配置された場合に該他の通信装置と電波で通信可能になる位置に設けられ、該他の通信装置から電波で送信された第２送信要求信号を受信すると共に、該第２送信要求信号を受信した場合に前記他の通信装置に対して電波で前記第２送信許可信号を送信する第２送受信手段と、前記他の通信装置との間での電波による通信速度よりも通信速度が速いという条件及び前記他の通信装置との間での電波による通信可能距離よりも通信可能距離が長いという条件の少なくとも一方の条件を満足する無線送受信手段であって、前記他の通信装置に対して前記予め定められた情報を無線で送信可能であり、かつ前記他の通信装置から無線で送信された前記予め定められた情報を受信可能な無線送受信手段と、装置本体が移動したときに該移動に係る加速度を検出する加速度検出手段と、を含む通信装置の通信方法であって、前記他の通信装置から電波で送信された前記第１送信許可信号を前記第１送受信手段で受信することによって前記第１送受信手段と前記他の通信装置との間で通信可能となり、かつ前記加速度検出手段によって検出された加速度が前記予め定められた閾値以下の場合に前記他の通信装置に前記予め定められた情報を無線で送信するように前記無線送受信手段を制御し、前記第２送受信手段が前記他の通信装置に対して前記第２送信許可信号を送信することによって前記第２送受信手段と前記他の通信装置との間で通信可能となり、かつ前記加速度検出手段によって検出された加速度が前記予め定められた閾値以下の場合に前記他の通信装置から無線で送信された前記予め定められた情報を受信するように前記無線送受信手段を制御する。
【００２３】
従って、本発明の通信方法によれば、請求項１記載の発明と同様に作用するので、請求項１記載の発明と同様に、煩雑な操作を要することなく通信を行うことができる。
【００２４】
一方、上記目的を達成するために、請求項８に記載の通信プログラムは、他の通信装置が予め定められた距離範囲内かつ位置関係で配置されることによって該他の通信装置との間で通信を行う通信装置として、前記他の通信装置が予め定められた閾値以下の加速度で移動している状態で前記予め定められた距離範囲内かつ位置関係に配置された場合に該他の通信装置と電波で通信可能になる位置に設けられ、該他の通信装置に対する予め定められた情報の送信の許可を該他の通信装置に要求する第１送信要求信号を電波で送信すると共に、前記送信要求信号を送信することに応じて前記他の通信装置から電波で送信される第１送信許可信号を受信する第１送受信手段と、前記他の通信装置が前記予め定められた閾値以下の加速度で移動している状態で前記予め定められた距離範囲内かつ位置関係に配置された場合に該他の通信装置と電波で通信可能になる位置に設けられ、該他の通信装置から電波で送信された第２送信要求信号を受信すると共に、該第２送信要求信号を受信した場合に前記他の通信装置に対して電波で前記第２送信許可信号を送信する第２送受信手段と、前記他の通信装置との間での電波による通信速度よりも通信速度が速いという条件及び前記他の通信装置との間での電波による通信可能距離よりも通信可能距離が長いという条件の少なくとも一方の条件を満足する無線送受信手段であって、前記他の通信装置に対して前記予め定められた情報を無線で送信可能であり、かつ前記他の通信装置から無線で送信された前記予め定められた情報を受信可能な無線送受信手段と、装置本体が移動したときに該移動に係る加速度を検出する加速度検出手段と、を含む通信装置を制御するコンピュータを、前記他の通信装置から電波で送信された前記第１送信許可信号を前記第１送受信手段で受信することによって前記第１送受信手段と前記他の通信装置との間で通信可能となり、かつ前記加速度検出手段によって検出された加速度が前記予め定められた閾値以下の場合に前記他の通信装置に前記予め定められた情報を無線で送信するように前記無線送受信手段を制御する手段、並びに、前記第２送受信手段が前記他の通信装置に対して前記第２送信許可信号を送信することによって前記第２送受信手段と前記他の通信装置との間で通信可能となり、かつ前記加速度検出手段によって検出された加速度が前記予め定められた閾値以下の場合に前記他の通信装置から無線で送信された前記予め定められた情報を受信するように前記無線送受信手段を制御する手段として機能させるためのものである。
【００２５】
従って、本発明の通信プログラムによれば、コンピュータに対して請求項１の発明と同様に作用させることができるので、請求項１の発明と同様に、煩雑な操作を要することなく通信を行うことができる。
【００２６】
一方、上記目的を達成するために、請求項９に記載の撮影装置は、請求項１〜請求項６の何れか１項に記載の通信装置と、被写体を撮像することにより当該被写体を示す画像情報を、前記通信装置により送信する情報として取得する撮像手段と、を備えている。
【００２７】
従って、本発明の撮影装置によれば、本発明の通信装置を備えているので、当該通信装置と同様に、煩雑な操作を要することなく通信を行うことができる。
【発明の効果】
【００２８】
本発明によれば、煩雑な操作を要することなく通信を行うことができる、という効果が得られる。
【発明を実施するための最良の形態】
【００２９】
以下、図面を参照して本発明を実施するための最良の形態について詳細に説明する。なお、以下の実施形態では、本発明をデジタルカメラに適用した場合について説明する。
【００３０】
〔第１の実施形態〕
図１は、本第１の実施形態に係るデジタルカメラ１０Ａの外観を示す外観図である。
【００３１】
同図に示すように、デジタルカメラ１０Ａの正面には、被写体を結像させるためのレンズ１２と、撮影する被写体の構図を決定するために用いられるファインダ６８と、が備えられている。また、デジタルカメラ１０Ａの上面には、撮影を実行する際に撮影者によって押圧操作されるレリーズボタン（所謂シャッター）５６Ａと、電源スイッチ５６Ｂと、が備えられている。
【００３２】
なお、本第１の実施形態に係るレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００３３】
そして、本第１の実施形態に係るデジタルカメラ１０Ａでは、レリーズボタン５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００３４】
一方、デジタルカメラ１０Ａの背面には、撮影によって得られたデジタル画像情報により示される被写体（画像）や各種メニュー画面、メッセージ等を表示するための液晶ディスプレイ（以下、「ＬＣＤ」という。）３８と、撮影を行うモードである撮影モード、及び撮影によって得られたデジタル画像情報により示される被写体をＬＣＤ３８に表示（再生）するモードである再生モードの何れかのモードに設定するためにスライド操作されるモード切替スイッチ５６Ｃと、ＬＣＤ３８の表示領域における上・下・左・右の４方向の移動方向を示す４つの矢印キーを含んで構成された十字カーソルボタン５６Ｄと、が備えられている。
【００３５】
また、デジタルカメラ１０Ａの背面には、ＬＣＤ３８にメニュー画面を表示する際に押圧操作されるメニューキー５６Ｅと、メニュー画面で指定された処理を実行する際に押圧操作される実行キー５６Ｆと、各種操作を停止（キャンセル）する際に押圧操作されるキャンセルキー５６Ｇと、が備えられている。
【００３６】
図２は、本第１の実施形態に係るデジタルカメラ１０Ａの電気系の要部構成を示すブロック図である。
【００３７】
デジタルカメラ１０Ａは、前述のレンズ１２を含んで構成された光学ユニット２２と、レンズ１２の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３８】
また、デジタルカメラ１０Ａは、入力されたアナログ信号をデジタル画像情報に変換するアナログ／デジタル変換器（以下、「ＡＤＣ」という。）２８と、入力されたデジタル画像情報に対して各種のデジタル信号処理を行うデジタル信号処理部３０と、を含んで構成されている。
【００３９】
なお、デジタル信号処理部３０は、所定容量のラインバッファを内蔵し、入力されたデジタル画像情報を後述するメモリ４８の所定領域に直接記憶させる制御も行う。
【００４０】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体を示すアナログ信号はアナログ信号処理部２６によって所定のアナログ信号処理が施され、ＡＤＣ２８によってデジタル画像情報に変換された後にデジタル信号処理部３０に入力される。
【００４１】
一方、デジタルカメラ１０Ａは、被写体やメニュー画面等をＬＣＤ３８に表示させるための信号を生成してＬＣＤ３８に供給するＬＣＤインタフェース３６と、デジタルカメラ１０Ａ全体の動作を司るＣＰＵ（中央処理装置）４０と、ＣＣＤ２４による撮像によって得られたデジタル画像情報等が記憶され、かつＣＰＵ４０により実行される各種制御プログラムやデータ等が予め記憶されたメモリ４８と、メモリ４８に対するアクセスの制御を行うメモリインタフェース４６と、を含んで構成されている。
【００４２】
また、デジタルカメラ１０Ａは、可搬型の外部メモリ５２をデジタルカメラ１０Ａでアクセス可能とするための外部メモリインタフェース５０と、デジタル画像情報に対する圧縮処理及び伸張処理を行う圧縮・伸張処理回路５４と、を含んで構成されている。
【００４３】
なお、本第１の実施形態のデジタルカメラ１０Ａでは、メモリ４８としてフラッシュ・メモリ（Flash Memory）が用いられ、外部メモリ５２としてスマート・メディア（Smart Media（登録商標））が用いられている。
【００４４】
また、デジタルカメラ１０Ａは、アンテナ５８，６０、電波送信部６２、電波受信部６４及び３次元加速度センサ（以下、「３Ｄ加速度センサ」という。）６６を含んで構成されている。
【００４５】
電波送信部６２は、デジタルカメラ１０Ａの一端部に設けられており、予め定められた情報をアンテナ５８を介して無線で送信するものである。なお、本第１の実施形態に係るデジタルカメラ１０Ａでは、上記予め定められた情報として前述したデジタル画像情報を適用している。また、本第１の実施形態に係るデジタルカメラ１０Ａでは、予め定められた条件を満足した場合に電波送信部６２によって所定周波数かつ所定強度の電波が送信され、当該電波により上記予め定められた情報が送信される。
【００４６】
また、電波受信部６４は、他のデジタルカメラ１０Ａが予め定められた距離範囲内かつ位置関係で配置された場合に当該他のデジタルカメラ１０Ａに設けられた電波送信部６２と通信可能な位置に設けられており、当該他のデジタルカメラ１０Ａに設けられた電波送信部６２によって送信された情報をアンテナ６０を介して受信するものである。
【００４７】
更に、３Ｄ加速度センサ６６は、デジタルカメラ１０Ａが移動したときに当該移動の加速度を検出するものである。
【００４８】
なお、本第１の実施形態に係るデジタルカメラ１０Ａでは、電波送信部６２は、電波を送信する機能の他に、アンテナ５８を介して後述する送信許可情報を受信する機能も有している。また、電波受信部６４は、電波を受信する機能の他に、アンテナ６０を介して後述する送信許可情報を送信する機能も有している。
【００４９】
一方、デジタル信号処理部３０、ＬＣＤインタフェース３６、ＣＰＵ４０、メモリインタフェース４６、外部メモリインタフェース５０、圧縮・伸張処理回路５４、電波送信部６２、電波受信部６４及び３Ｄ加速度センサ６６はシステムバスＢＵＳを介して相互に接続されている。従って、ＣＰＵ４０は、デジタル信号処理部３０、圧縮・伸張処理回路５４、電波送信部６２及び電波受信部６４の作動の制御、３Ｄ加速度センサ６６での検出結果の取得、ＬＣＤ３８に対するＬＣＤインタフェース３６を介した各種情報の表示、メモリ４８及び外部メモリ５２へのメモリインタフェース４６ないし外部メモリインタフェース５０を介したアクセスを各々行うことができる。
【００５０】
一方、デジタルカメラ１０Ａには、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００５１】
また、デジタルカメラ１０Ａにはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００５２】
すなわち、本第１の実施形態に係るレンズ１２は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００５３】
更に、前述のレリーズボタン５６Ａ、電源スイッチ５６Ｂ、モード切替スイッチ５６Ｃ、十字カーソルボタン５６Ｄ、メニューキー５６Ｅ等のボタン類、スイッチ類、キー類（同図では、「操作部５６」と総称。）はＣＰＵ４０に接続されており、ＣＰＵ４０は、これらの操作部５６に対する操作状態を常時把握できる。
【００５４】
ところで、本第１の実施形態に係るデジタルカメラ１０Ａでは、一例として図３に示すように、デジタルカメラ１０Ａの上下方向に対する中心線Ｈを通る水平面（図示省略）を境界にして線対称の位置となるようにデジタルカメラ１０Ａの上端部に電波送信部６２が、デジタルカメラ１０Ａの下端部に電波受信部６４が各々配置されている。
【００５５】
そして、２台のデジタルカメラ１０Ａを同じ向きにして一方のデジタルカメラ１０Ａの上面に他方のデジタルカメラ１０Ａの下面を載置することにより、一方のデジタルカメラ１０Ａの電波送信部６２から送信される電波を他方のデジタルカメラ１０Ａの電波受信部６４が受信することが可能となる。
【００５６】
なお、この際の他方のデジタルカメラ１０Ａの載置位置は、一方のデジタルカメラ１０Ａの電波送信部６２と他方のデジタルカメラ１０Ａの電波受信部６４とが互いに対向するように載置するようにする。従って、上記所定強度は、このように載置されたときに各デジタルカメラ１０Ａ間で通信可能な強度とされている。
【００５７】
なお、これに限らず、他方のデジタルカメラ１０Ａの載置位置が、一方のデジタルカメラ１０Ａの電波送信部６２と他方のデジタルカメラ１０Ａの電波受信部６４とが完全に対向しなくても、ある程度のずれを許容するように上記所定強度を設定しても良い。その際、一方のデジタルカメラ１０Ａと他方のデジタルカメラ１０Ａとの間に所定の空間が生じている場合（一例として図３に示されている状態の場合）にも対応するようにしても良い。
【００５８】
また、本第１の実施形態に係るデジタルカメラ１０Ａでは、デジタルカメラ１０Ａの上下方向に対する中心線Ｈを通る水平面（図示省略）を境界にして線対称の位置となるようにデジタルカメラ１０Ａの上端部に電波送信部６２が、デジタルカメラ１０Ａの下端部に電波受信部６４が各々配置されている形態例を挙げて説明しているが、デジタルカメラ１０Ａの上下方向に対する中心線Ｈを通る水平面（図示省略）を境界にしてほぼ線対称の位置となるようにデジタルカメラ１０Ａの上端部に電波送信部６２を、デジタルカメラ１０Ａの下端部に電波受信部６４を各々配置しても良い。
【００５９】
このように、２台のデジタルカメラ１０Ａが予め定められた距離範囲内かつ位置関係で配置されることによって一方のデジタルカメラ１０Ａと他方のデジタルカメラ１０Ａとの間で通信が行われる。
【００６０】
次に、本第１の実施形態に係るデジタルカメラ１０Ａの撮影時における全体的な動作について簡単に説明する。
【００６１】
まず、ＣＣＤ２４は、光学ユニット２２を介した撮像を行い、被写体を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００６２】
ＡＤＣ２８は、アナログ信号処理部２６から入力されたＲ、Ｇ、Ｂ毎のアナログ信号を各々所定ビット数のＲ、Ｇ、Ｂの信号（デジタル画像情報）に変換してデジタル信号処理部３０に順次出力する。デジタル信号処理部３０は、内蔵しているラインバッファにＡＤＣ２８から順次入力されるデジタル画像情報を蓄積して一旦メモリ４８の所定領域に直接格納する。
【００６３】
メモリ４８の所定領域に格納されたデジタル画像情報は、ＣＰＵ４０による制御に応じてデジタル信号処理部３０により読み出され、所定の物理量に応じたＲ，Ｇ，Ｂ毎のデジタルゲインをかけることでホワイトバランス調整を行うと共に、ガンマ処理及びシャープネス処理を行って所定ビット数のデジタル画像情報を生成する。
【００６４】
そして、デジタル信号処理部３０は、生成したデジタル画像情報に対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる所定領域に格納する。
【００６５】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００６６】
ここで、レリーズボタン５６Ａがユーザによって半押し状態とされたタイミングで前述のようにＡＥ機能が働いて露出状態が設定された後、ＡＦ機能が働いて合焦制御され、その後、引き続き全押し状態とされたタイミングで、その時点でメモリ４８に格納されているＹＣ信号を、圧縮・伸張処理回路５４によって所定の圧縮形式（本第１の実施形態では、ＪＰＥＧ形式）で圧縮した後に外部メモリインタフェース５０を介して外部メモリ５２に画像ファイル（電子化ファイル）として記録する。
【００６７】
次に、本第１の実施形態に係る２台のデジタルカメラ１０Ａにおいて一方のデジタルカメラ１０Ａが電波送信部６２によって情報を送信し、当該情報を他方のデジタルカメラ１０Ａが電波受信部６４によって受信する際の作用を説明する。
【００６８】
先ず、図４を参照して、本第１の実施形態に係るデジタルカメラ１０Ａが電波送信部６２によって情報の送信を行う場合の作用を説明する。なお、図４は、所定期間（一例として１秒）毎にデジタルカメラ１０ＡのＣＰＵ４０により実行される送信処理プログラムの処理の流れを示すフローチャートであり、当該プログラムはメモリ４８の所定領域に予め記憶されている。
【００６９】
同図のステップ１００では、所定条件を満足するまで待機する。なお、本第１の実施形態に係るデジタルカメラでは、上記所定条件として、再生モードが設定されており、かつ３Ｄ加速度センサ６６により検出された加速度が予め定められた閾値以下であるという条件を適用している。
【００７０】
次のステップ１０２では、電波送信部６２に対して通信を行いたいことを示す所定の電波を送信させ、その後にステップ１０４へ移行する。上記ステップ１０２の処理により上記所定の電波を発信させると、一方のデジタルカメラ１０Ａと他方のデジタルカメラ１０Ａとが予め定められた距離範囲内かつ位置関係で配置されている場合には、後述するように他方のデジタルカメラ１０Ａの電波受信部６４から送信許可情報が送信される。
【００７１】
そこで、ステップ１０４では、他方のデジタルカメラ１０Ａの電波受信部６４から送信される送信許可情報の受信待ちを行い、次のステップ１０６では、上記予め定められた情報の送信を開始するように電波送信部６２を制御する。なお、本第１の実施形態に係るデジタルカメラ１０Ａでは、上記ステップ１０６の処理として、この時点でＬＣＤ３８に表示されている画像を示すデジタル画像情報を送信するように電波送信部６２を制御する処理を適用している。
【００７２】
ステップ１０８では、ＬＣＤ３８に対して他方のデジタルカメラ１０Ａに対して情報を送信していることを示す情報を表示させるように制御する。なお、本第１の実施形態に係るデジタルカメラ１０Ａでは、上記ステップ１０８の処理として、ＬＣＤ３８に対して情報を送信中であることを示すアニメーションを表示させるように制御する処理を適用しているが、これに限らず、例えば、ＬＣＤ３８に対して情報を送信中であることを示す文字を表示させるように制御する処理、情報を送信中であることを示す音声を出力するようにスピーカ（図示省略）を制御する処理等を適用することができることは言うまでもない。
【００７３】
次のステップ１１０では、情報の送信が終了したか否かを判定し、肯定判定となった場合に本送信処理プログラムを終了する。
【００７４】
次に、図５を参照して、本第１の実施形態に係るデジタルカメラ１０Ａが電波受信部６４によって情報の受信を行う場合の作用を説明する。なお、図５は、所定期間（一例として１秒）毎に当該デジタルカメラ１０ＡのＣＰＵ４０により実行される受信処理プログラムの処理の流れを示すフローチャートであり、当該プログラムはメモリ４８の所定領域に予め記憶されている。
【００７５】
同図のステップ２００では、前述した所定条件を満足するまで待機する。
【００７６】
次のステップ２０２では、前述した送信処理プログラムの上記ステップ１０２の処理により電波送信部６２に対して送信させた電波の受信待ちを行う。
【００７７】
次のステップ２０４では、上記予め定められた情報の送信を許可することを示す送信許可情報を送信するように電波受信部６４を制御する。
【００７８】
次のステップ２０６では、前述した送信処理プログラムの上記ステップ１０６の処理により送信された上記予め定められた情報の受信の開始が行われるまで待機する。
【００７９】
ステップ２０８では、ＬＣＤ３８に対して一方のデジタルカメラ１０Ａから情報を受信していることを示す情報を表示させるように制御する。なお、本第１の実施形態に係るデジタルカメラ１０Ａでは、上記ステップ２０８の処理として、ＬＣＤ３８に対して情報の受信中であることを示すアニメーションを表示させるように制御する処理を適用しているが、これに限らず、例えば、情報を受信中であることを示す文字を表示させるようにＬＣＤ３８を制御する処理、情報を受信中であることを示す音声を出力するようにスピーカ（図示省略）を制御する処理等を適用することができることは言うまでもない。
【００８０】
ステップ２１０では、受信した情報を外部メモリ５２に記憶し、その後にステップ２１２へ移行する。
【００８１】
ステップ２１２では、情報を受信しているか否かを判定し、肯定判定となった場合には上記ステップ２１０へ戻る一方、否定判定となった場合には本受信処理プログラムを終了する。
【００８２】
なお、本第１の実施形態では、上記ステップ１０６が本発明の送信制御ステップに、上記ステップ２０６が本発明の受信制御ステップに各々相当する。
【００８３】
以上詳細に説明したように、本第１の実施形態によれば、デジタルカメラ１０Ａの一端部に設けられた電波送信部６２が、予め定められた情報（ここでは、デジタル画像情報）を無線で送信し、他のデジタルカメラ１０Ａが予め定められた距離範囲内かつ位置関係で配置された場合に当該他のデジタルカメラ１０Ａに設けられた電波送信部６２と通信可能な位置に設けられた電波受信部６４が上記他のデジタルカメラ１０Ａに設けられた電波送信部６２によって送信された情報を受信し、ＣＰＵ４０が、電波受信部６４と上記他のデジタルカメラ１０Ａに設けられた電波送信部６２との間で通信可能となった場合に電波受信部６４により上記情報の受信を行うように制御すると共に、電波送信部６２と上記他のデジタルカメラ１０Ａに設けられた電波受信部６４との間で通信可能となった場合に電波送信部６２により上記情報の送信を行うように制御しているので、煩雑な操作を要することなく通信を行うことができる。
【００８４】
また、本第１の実施形態によれば、他のデジタルカメラ１０Ａと通信を行う動作モード（ここでは、再生モード）以外の動作モードが設定されているときには当該通信を禁止するように制御しているので、通信を行わないモードが設定されている場合において不要な通信が行われることを防止することができる。
【００８５】
また、本第１の実施形態によれば、３Ｄ加速度センサ６６が、デジタルカメラ１０Ａが移動したときに当該移動の加速度を検出し、ＣＰＵ４０が、３Ｄ加速度センサ６６により検出された加速度が予め定められた閾値を超えている場合に他のデジタルカメラ１０Ａとの通信を禁止するように制御しているので、不要な通信が行われることを防止することができる。
【００８６】
更に、本第１の実施形態によれば、ＣＰＵ４０が、他のデジタルカメラ１０Ａに対して情報を送信しているときに当該情報を送信していることを示す情報を表示するように制御すると共に、他のデジタルカメラ１０Ａから情報を受信しているときに当該情報を受信していることを示す情報を表示するように制御しているので、ユーザに対して情報を送信しているのか受信しているのかを容易に把握させることができる。
【００８７】
〔第２の実施形態〕
上記第１の実施形態では、電波送信部６２を利用して情報を送信する場合の形態例について説明したが、本第２の実施形態では、ＷｉＦｉ(Wireless Fidelity)を利用して情報を送信する場合の形態例について説明する。
【００８８】
先ず、図６を参照して、本第２の実施形態に係るデジタルカメラ１０Ｂの構成を説明する。なお、図６の図２と同一の構成要素には図２と同一の符号を付して、その説明を省略する。
【００８９】
同図に示すように、本第２の実施形態に係るデジタルカメラ１０Ｂは、アンテナ７０及び当該アンテナ７０に接続されているＷｉＦｉ通信部７２を含んで構成されている。
【００９０】
ＷｉＦｉ通信部７２は、電波送信部６２より通信速度が速く、かつ通信可能距離が長く、第２情報をアンテナ７０を介して無線で送信する一方、他のデジタルカメラ１０Ｂに設けられたＷｉＦｉ通信部７２によって送信された上記第２情報をアンテナ７０を介して受信するものである。なお、本第２の実施形態に係るデジタルカメラ１０Ｂでは、上記第２情報の情報として、上記第１の実施形態で説明したデジタル画像情報を適用している。
【００９１】
ところで、本第２の実施形態に係るデジタルカメラ１０Ｂでは、一例として図７に示すように、電波送信部６２及び電波受信部６４が上記第１の実施形態のデジタルカメラ１０Ａと同じ位置に配置されており、ＷｉＦｉ通信部７２がデジタルカメラ１０Ｂの背面視左側端部に配置されている。
【００９２】
次に、本第２の実施形態に係る２台のデジタルカメラ１０Ｂにおいて一方のデジタルカメラ１０ＢがＷｉＦｉ通信部７２によって上記第２情報を送信し、当該情報を他方のデジタルカメラ１０ＢがＷｉＦｉ通信部７２によって受信する際の作用を説明する。
【００９３】
先ず、図８を参照して本第２の実施形態に係るデジタルカメラ１０ＢがＷｉＦｉ通信部７２によって上記第２情報の送信を行う場合の作用を説明する。なお、図８は、所定期間（一例として１秒）毎にデジタルカメラ１０ＢのＣＰＵ４０により実行される送信処理プログラムの処理の流れを示すフローチャートであり、当該プログラムはメモリ４８の所定領域に予め記憶されている。また、図８における図４に示されるプログラムと同一の処理を行うステップについては図４と同一のステップ番号を付して、その説明を省略する。
【００９４】
同図のステップ１０４において肯定判定となった場合にはステップ３００へ移行し、ＷｉＦｉ通信部７２を用いて他方のデジタルカメラ１０Ｂに対して後述する通信許可情報の提供を要求する通信（ポーリング）を行い、その後にステップ３０２へ移行する。上記ステップ３００の処理によって行われるポーリングにより、後述するように他方のデジタルカメラ１０ＢのＷｉＦｉ通信部７２から通信許可情報が送信される。
【００９５】
そこで、ステップ３０２では、他方のデジタルカメラ１０ＢのＷｉＦｉ通信部７２から送信される通信許可情報の受信待ちを行う。
【００９６】
次のステップ３０４では、上記第２情報の送信を開始するようにＷｉＦｉ通信部７２を制御する。なお、本第２の実施形態に係るデジタルカメラ１０Ｂでは、上記ステップ３０４の処理として、この時点でＬＣＤ３８に表示されている画像を示すデジタル画像情報を送信するようにＷｉＦｉ通信部７２を制御する処理を適用している。
【００９７】
次に、図９を参照して、本第２の実施形態に係るデジタルカメラ１０ＢがＷｉＦｉ通信部７２によって上記第２情報の受信を行う場合の作用を説明する。なお、図９は、所定期間（一例として１秒）毎に当該デジタルカメラ１０ＢのＣＰＵ４０により実行される受信処理プログラムの処理の流れを示すフローチャートであり、当該プログラムはメモリ４８の所定領域に予め記憶されている。また、図９における図５に示されるプログラムと同一の処理を行うステップについては図５と同一のステップ番号を付して、その説明を省略する。
【００９８】
同図のステップ４００では、本第２の実施形態に係る一方のデジタルカメラ１０Ｂからのポーリング待ちを行う。
【００９９】
次のステップ４０２では、ＷｉＦｉ通信部７２による通信を許可することを示す通信許可情報を送信するようにＷｉＦｉ通信部７２を制御する。
【０１００】
次のステップ４０４では、前述した本第２の実施形態に係る送信処理プログラムの上記ステップ３０４の処理により送信された上記第２情報の受信の開始が行われるまで待機する。
【０１０１】
次に、図１０を参照して本第２の実施形態に係るデジタルカメラ１０Ｂが上記第２情報を送信している最中の作用を説明する。なお、図１０は、デジタルカメラ１０Ｂが上記第２情報を送信している最中にデジタルカメラ１０ＢのＣＰＵ４０により実行される送信中処理プログラムの処理の流れを示すフローチャートであり、当該プログラムはメモリ４８の所定領域に予め記憶されている。
【０１０２】
同図のステップ５００では、他のデジタルカメラ１０Ｂから送信される後述する送信中断情報のＷｉＦｉ通信部７２を介しての受信待ちを行う。
【０１０３】
次のステップ５０２では、ＷｉＦｉ通信部７２による上記第２情報の送信を中断し、その後の本送信中処理プログラムを終了する。
【０１０４】
次に、図１１を参照して本第２の実施形態に係るデジタルカメラ１０Ｂが上記第２情報を受信している最中の作用を説明する。なお、図１１は、デジタルカメラ１０Ｂが上記第２情報を受信している最中にデジタルカメラ１０ＢのＣＰＵ４０により実行される送信中処理プログラムの処理の流れを示すフローチャートであり、当該プログラムはメモリ４８の所定領域に予め記憶されている。
【０１０５】
同図のステップ６００では、通信可能でなくなるまで待機する。なお、本第２の実施形態に係る他方のデジタルカメラ１０Ｂでは、上記ステップ６００の処理として、電波受信部６４により他のデジタルカメラ１０Ｂの電波送信部６２から送信される電波が受信されなくなるまで待機している。
【０１０６】
ステップ６０２では、上記第２情報の送信を中断することを指示する送信中断情報を送信するようにＷｉＦｉ通信部７２を制御し、その後に本受信中処理プログラムを終了する。
【０１０７】
以上詳細に説明したように、本第２の実施形態によれば、ＣＰＵ４０が、電波受信部６４と他のデジタルカメラ１０Ｂに設けられた電波送信部６２との間で通信可能となった場合に、ＷｉＦｉ通信部７２により第２情報（ここでは、デジタル画像情報）の受信を行うように制御すると共に、電波送信部６２と他のデジタルカメラ１０Ｂに設けられた電波受信部６４との間で通信可能となった場合に、ＷｉＦｉ通信部７２により上記第２情報の送信を行うように制御しているので、通信能力を向上させることができる。
【０１０８】
また、本第２の実施形態によれば、ＣＰＵ４０が、ＷｉＦｉ通信部７２により上記第２情報の受信が行われている最中に、電波受信部６４と他のデジタルカメラ１０Ｂに設けられた電波送信部６２との間で通信不可能となった場合にＷｉＦｉ通信部７２による上記第２情報の受信を中断するように制御すると共に、ＷｉＦｉ通信部７２により上記第２情報の送信が行われている最中に、電波送信部６２と他のデジタルカメラ１０Ｂに設けられた電波受信部６４との間で通信不可能となった場合にＷｉＦｉ通信部７２による上記第２情報の送信を中断するように制御しているので、不要な通信の制御を停止させることができる。
【０１０９】
〔第３の実施形態〕
本第３の実施形態では、複数のデジタル画像情報を送信する場合の形態について説明する。なお、本第３の実施形態に係るデジタルカメラの構成は上記第２の実施形態に係るデジタルカメラ１０Ｂの構成と同様であるので、その説明は省略する。また、以下では、上記第２の実施形態と異なる点のみを説明する。
【０１１０】
次に、図１２を参照して本第３の実施形態に係る２台のデジタルカメラ１０Ｂにおいて一方のデジタルカメラ１０Ｂが他方のデジタルカメラ１０Ｂにデジタル画像情報を送信する場合の作用を説明する。なお、図１２は、所定期間（一例として５秒）毎にデジタルカメラ１０ＢのＣＰＵ４０により実行される送信処理プログラムの処理の流れを示すフローチャートであり、当該プログラムはメモリ４８の所定領域に予め記憶されている。また、図１２における図８に示されるプログラムと同一の処理を行うステップについては図８と同一のステップ番号を付して、その説明を省略する。
【０１１１】
同図のステップ７００では、ＬＣＤ３８に対して複数の画像を並べて一覧表示させる指示が操作部５６により受け付けられたか否かを判定し、肯定判定となった場合にはステップ７０２へ移行する一方、否定判定となった場合にはステップ１０４へ移行する。
【０１１２】
ステップ７０２では、ＬＣＤ３８に対して複数の画像を並べて一覧表示させ、その後にステップ１０４へ移行する。
【０１１３】
ステップ７０４では、この時点でＬＣＤ３８に表示されている画像を示すデジタル画像情報の送信を開始するようにＷｉＦｉ通信部７２を制御し、その後にステップ１０８へ移行する。例えば、ＬＣＤ３８に９枚の画像が表示されている場合には、上記ステップ７０４の処理として、当該９枚の画像の各々を示すデジタル画像情報を送信するようにＷｉＦｉ通信部７２を制御する処理を適用している。
【０１１４】
以上詳細に説明したように、本第３の実施形態によれば、ＬＣＤ３８がデジタル画像情報により示される画像を表示し、ＣＰＵ４０がＬＣＤ３８により表示されている画像を示すデジタル画像情報を他のデジタルカメラ１０Ｂに対して送信する情報としているので、所望の画像を他のデジタルカメラ１０Ｂに容易に提供することができる。
【０１１５】
〔第４の実施形態〕
本第４の実施形態では、デジタルカメラを移動させたときの加速度がその大きさに拘らず予め定められた状態である場合に、当該状態に応じた情報を他のデジタルカメラに対して送信する場合の形態について説明する。
【０１１６】
なお、本第４の実施形態に係るデジタルカメラの構成は上記第２の実施形態に係るデジタルカメラ１０Ｂの構成と同様であるので、その説明は省略する。また、以下では、上記第２の実施形態と異なる点のみを説明する。
【０１１７】
ところで、本第４の実施形態に係るデジタルカメラ１０Ｂでは、操作部５６に対して所定の操作を行うことにより、３Ｄ加速度センサ６６により検出された加速度の状態と、ユーザにより指定された、他のデジタルカメラ１０Ｂに対して送信する情報の種類とを対応付けて登録するモードである対応付けモードに設定することができる。
【０１１８】
次に、図１３を参照して本第４の実施形態に係るデジタルカメラ１０Ｂの作用を説明する。なお、図１３は、デジタルカメラ１０Ｂに対応付けモードが設定された際にデジタルカメラ１０ＢのＣＰＵ４０により実行される対応付けモード処理プログラムの処理の流れを示すフローチャートであり、当該プログラムはメモリ４８の所定領域に予め記憶されている。
【０１１９】
同図のステップ８００では、３Ｄ加速度センサ６６により所定値以上の加速度が検出されたか否かを判定し、肯定判定となった場合にはステップ８０２へ移行する一方、否定判定となった場合にはステップ８０４へ移行する。
【０１２０】
ステップ８０２では、上記ステップ８００の処理により検出された加速度の状態を示す加速度情報をメモリ４８に記憶することにより登録し、次のステップ８０４では対応付けモードが設定されてから所定時間（一例として２０秒）経過したか否かを判定し、肯定判定となった場合にはステップ８０６へ移行する一方、否定判定となった場合には上記ステップ８００へ戻る。
【０１２１】
ステップ８０６では、上記ステップ８０２の処理により加速度情報が登録されたか否かを判定し、肯定判定となった場合にはステップ８１０へ移行する一方、否定判定となった場合には本対応付けモード処理プログラムを終了する。
【０１２２】
ステップ８１０では、ＬＣＤ３８に対して、外部メモリ５２に記憶されている他のデジタルカメラ１０Ｂに対して送信する情報の種類を表示させるように制御する。なお、他のデジタルカメラ１０Ｂに対して送信する情報の種類としては、外部メモリ５２に記憶されている全てのデジタル画像情報、外部メモリ５２に記憶されている予め定められた数のデジタル画像情報、外部メモリ５２に記憶されている連写撮影を行って得られたデジタル画像情報、外部メモリ５２に記憶されている音声情報などが例示できる。
【０１２３】
次のステップ８１２では、上記ステップ８１０の処理によりＬＣＤ３８に対して表示させている情報の種類の指定が操作部５６によって受け付けられるまで待機する。
【０１２４】
ステップ８１４では、上記ステップ８０２の処理により登録されている加速度情報と上記ステップ８１２の処理により指定された情報の種類を示す種類情報とを対応付けてメモリ４８に記憶することにより登録し、その後に本対応付けモード処理プログラムを終了する。
【０１２５】
次に、図１４を参照して本第４の実施形態に係る２台のデジタルカメラ１０Ｂにおいて一方のデジタルカメラ１０Ｂが他方のデジタルカメラ１０Ｂに情報を送信する場合の作用を説明する。なお、図１４は、予め定められたタイミングでデジタルカメラ１０ＢのＣＰＵ４０により実行される送信処理プログラムの処理の流れを示すフローチャートであり、当該プログラムはメモリ４８の所定領域に予め記憶されている。また、図１４における図８に示されるプログラムと同一の処理を行うステップについては図８と同一のステップ番号を付して、その説明を省略する。
【０１２６】
同図のステップ９００では、３Ｄ加速度センサ６６により所定値以上の加速度が検出されたか否かを判定し、肯定判定となった場合にはステップ９０２へ移行する一方、否定判定となった場合にはステップ１００へ移行する。
【０１２７】
ステップ９０２では、上記ステップ９００の処理により検出された加速度が予め定められた状態であるか否かを判定し、肯定判定となった場合にはステップ９０４へ移行する一方、否定判定となった場合にはステップ１０４へ移行する。なお、本第４の実施形態に係るデジタルカメラ１０Ｂでは、上記ステップ９０２の処理として、上記ステップ９００の処理により検出された加速度の状態を示す加速度情報がメモリ４８に記憶されているか否かを判定する処理を適用している。
【０１２８】
ステップ９０４では、メモリ４８から上記ステップ９００の処理により検出された加速度の状態を示す加速度情報に対応付けられた種類情報を読み出し、その後にステップ１００へ移行する。
【０１２９】
ステップ９０６では、上記ステップ９０２の処理により肯定判定となった場合には、上記ステップ９０４の処理によりメモリ４８から読み出された種類情報により示される種類の情報を外部メモリ５２から読み出し、当該情報の送信を開始するようにＷｉＦｉ通信部７２を制御し、上記ステップ９０２の処理により否定判定となった場合には、この時点でＬＣＤ３８に表示されている画像を示すデジタル画像情報の送信を開始するようにＷｉＦｉ通信部７２を制御する。
【０１３０】
以上詳細に説明したように、本第４の実施形態によれば、ＣＰＵ４０が３Ｄ加速度センサ６６により検出された加速度が、その大きさに拘らず予め定められた状態である場合に、当該状態に応じた情報を他のデジタルカメラ１０Ｂに送信するように制御しているので、ユーザによりデジタルカメラ１０Ｂを予め定められた移動状態とすることにより、所望の画像情報を他のデジタルカメラ１０Ｂに対して送信することができる。
【０１３１】
また、本第４の実施形態によれば、操作部５６が、上記予め定められた状態を登録するに当り、当該状態に応じて他のデジタルカメラ１０Ｂに対して送信する情報の種類の指定を受け付け、メモリ４８が、上記予め定められた状態を登録するに当り、３Ｄ加速度センサ６６により検出された加速度の状態を示す加速度情報と操作部５６により受け付けられた情報の種類を示す種類情報とを対応付けて記憶し、ＣＰＵ４０が、メモリ４８に加速度情報と種類情報とが対応付けられて記憶されており、かつ３Ｄ加速度センサ６６により加速度が検出されると共に、当該加速度の状態を示す加速度情報がメモリ４８に記憶されている加速度情報である場合に、当該加速度情報に対応する種類情報をメモリ４８から読み出し、当該種類情報により示される種類の情報を他のデジタルカメラ１０Ｂに対して送信するように制御しているので、デジタルカメラ１０Ｂの移動状態と他のデジタルカメラ１０Ｂに対して送信する情報の種類とを対応付けて予め登録することができる結果、他のデジタルカメラ１０Ｂに対して送信する情報の種類の変更に容易に対応することができる。
【０１３２】
以上、本発明を上記各実施形態を用いて説明したが、本発明の技術的範囲は上記各実施形態に記載の範囲には限定されない。発明の主旨を逸脱しない範囲で上記各実施形態に多様な変更または改良を加えることができ、当該変更または改良を加えた形態も本発明の技術的範囲に含まれる。
【０１３３】
また、上記各実施形態は、特許請求の範囲に記載された発明を限定するものではなく、また、上記各実施形態の中で説明されている特徴の組み合わせの全てが発明の解決手段に必須であるとは限らない。上記各実施形態には種々の段階の発明が含まれており、開示される複数の構成要件における状況に応じた組み合わせにより種々の発明を抽出できる。上記実施形態に示される全構成要件から幾つかの構成要件が削除されても、効果が得られる限りにおいて、この幾つかの構成要件が削除された構成が発明として抽出され得る。
【０１３４】
例えば、上記各実施形態では、デジタルカメラ１０Ａ（１０Ｂ）の上下方向に対する中心線を通る水平面を境界にして線対称の位置となるようにデジタルカメラ１０Ａ（１０Ｂ）の上端部に電波送信部６２を、デジタルカメラ１０Ａの下端部に電波受信部６４を配置する場合の形態例を挙げて説明したが、図１５及び図１６に示すように、デジタルカメラ１０Ａ（１０Ｂ）を正面側及び背面側に二分する水平面（図中の一点鎖線）を境界にして線対称の位置となるようにデジタルカメラ１０Ａ（１０Ｂ）の背面側端部に電波送信部６２を、デジタルカメラ１０Ａ（１０Ｂ）の正面側端部に電波受信部６４を配置しても良い。
【０１３５】
また、図１７に示すように、デジタルカメラ１０Ａ（１０Ｂ）の背面の中心点を軸にして点対称の位置となるようにデジタルカメラ１０Ａ（１０Ｂ）の上端部に電波送信部６２を、デジタルカメラ１０Ａの下端部に電波受信部６４を配置しても良い。
【０１３６】
また、図１８に示すように、デジタルカメラ１０Ａ（１０Ｂ）の左右方向に対する中心線（図中の一点鎖線）を通る鉛直面を境界にして線対称の位置となるようにデジタルカメラ１０Ａ（１０Ｂ）の背面視左側端部に電波送信部６２を、デジタルカメラ１０Ａ（１０Ｂ）の背面視右側端部に電波受信部６４を配置しても良い。
【０１３７】
また、上記各実施形態では、ＬＣＤ３８により、他のデジタルカメラに対して情報を送信していることを示す情報及び他のデジタルカメラから情報を受信していることを示す情報を表示する場合の形態例を挙げて説明したが、スピーカ等の音声合成装置により可聴表示するようにしても良い。また、プリンタ等の画像形成装置により永久可視表示するようにしても良い。更に、ディスプレイ装置による可視表示、音声合成装置による可聴表示、及び画像形成装置による永久可視表示の少なくとも２つを組み合わせた表示を行っても良い。このように他のデジタルカメラに対して情報を送信していることを示す情報及び他のデジタルカメラから情報を受信していることを示す情報を表示する形態は如何なるものであっても良い。
【０１３８】
また、上記各実施形態で説明したデジタルカメラ１０Ａ，１０Ｂの構成（図１、図２及び図６参照。）は一例であり、本発明の主旨を逸脱しない範囲内において状況に応じて変更可能であることは言うまでもない。
【０１３９】
また、上記各実施形態で説明した各種処理プログラムの処理の流れ（図４、図５、図８〜図１４参照。）も一例であり、本発明の主旨を逸脱しない範囲内において不要なステップを削除したり、新たなステップを追加したり、処理順序を入れ替えたりすることができることは言うまでもない。
【０１４０】
また、上記各実施形態では、本発明をデジタルカメラに適用した場合の形態例を挙げて説明したが、本発明を携帯電話機やパーソナル・コンピュータ等のあらゆる通信装置に適用できることは言うまでもない。
【図面の簡単な説明】
【０１４１】
【図１】実施形態に係るデジタルカメラの外観を示す外観図である。
【図２】第１の実施形態に係るデジタルカメラの電気系の要部構成を示すブロック図である。
【図３】第１の実施形態に係るデジタルカメラにおける電波送信部及び電波受信部の配置の一例を示す概略図である。
【図４】第１の実施形態に係る送信処理プログラムの処理の流れを示すフローチャートである。
【図５】第１の実施形態に係る受信処理プログラムの処理の流れを示すフローチャートである。
【図６】第２の実施形態に係るデジタルカメラの電気系の要部構成を示すブロック図である。
【図７】第２の実施形態に係るデジタルカメラにおける電波送信部、電波受信部及びＷｉＦｉ通信部の配置の一例を示す概略図である。
【図８】第２の実施形態に係る送信処理プログラムの処理の流れを示すフローチャートである。
【図９】第２の実施形態に係る受信処理プログラムの処理の流れを示すフローチャートである。
【図１０】第２の実施形態に係る送信中処理プログラムの処理の流れを示すフローチャートである。
【図１１】第２の実施形態に係る受信中処理プログラムの処理の流れを示すフローチャートである。
【図１２】第３の実施形態に係る送信処理プログラムの処理の流れを示すフローチャートである。
【図１３】第４の実施形態に係る対応付けモード処理プログラムの処理の流れを示すフローチャートである。
【図１４】第４の実施形態に係る送信処理プログラムの処理の流れを示すフローチャートである。
【図１５】第１の実施形態に係るデジタルカメラにおける電波送信部及び電波受信部の配置の他の一例を示す概略図である。
【図１６】第２の実施形態に係るデジタルカメラにおける電波送信部及び電波受信部の配置の他の一例を示す概略図である。
【図１７】実施形態に係るデジタルカメラにおける電波送信部及び電波受信部の配置の他の一例を示す概略図である。
【図１８】実施形態に係るデジタルカメラにおける電波送信部及び電波受信部の配置の他の一例を示す概略図である。
【符号の説明】
【０１４２】
１０Ａ，１０Ｂ  デジタルカメラ
３８  ＬＣＤ（表示手段）
４０  ＣＰＵ（制御手段）
４８  メモリ（記憶手段）
５６  操作部（受付手段）
６２  電波送信部（送信手段）
６４  電波受信部（受信手段）
６６  ３Ｄ加速度センサ（加速度検出手段）
７２  ＷｉＦｉ通信部（第２送信手段、第２受信手段）
【図１】
0005001107.tif 000002
【図２】
0005001107.tif 000003
【図３】
0005001107.tif 000004
【図４】
0005001107.tif 000005
【図５】
0005001107.tif 000006
【図６】
0005001107.tif 000007
【図７】
0005001107.tif 000008
【図８】
0005001107.tif 000009
【図９】
0005001107.tif 000010
【図１０】
0005001107.tif 000011
【図１１】
0005001107.tif 000012
【図１２】
0005001107.tif 000013
【図１３】
0005001107.tif 000014
【図１４】
0005001107.tif 000015
【図１５】
0005001107.tif 000016
【図１６】
0005001107.tif 000017
【図１７】
0005001107.tif 000018
【図１８】
0005001107.tif 000019